(57)【要約】　　　（修正有）【課題】セットアップ工法でハニカム構造にすることにより有機系接着剤を使用しないですむようにする。【解決手段】帯板に光触媒コーティングを施し、ハニカムコアの形状をなすように、帯板の一端から等間隔に水平部６、傾斜部７、水平部８、傾斜部９を一単位として所望の横長さを構成するまで反復し、各部間に折り目をつけて水平部６、８のみに帯板の側縁からその幅中心線５まで、その中心線で区分する帯板の上側下側交互に切込みを入れて切込み舌片を構成し、第１帯板１の上側の切込み舌片６’に第２帯板２の下側の切込み舌片６’を互いに対向させ組合わせ、第２帯板２の上側の切込み舌片８’に第３帯板３の下側の切込み舌片８’を同様に組合わせ、第３帯板３の上側の切込み舌片６’に第４帯板４の下側の切込み舌片６’を組合わせ、これを反復してコア部分を構成し、そのコア部分にハニカム貫通セルを形成してなるエアフィルター構造体である。【選択図】図３
2004089650.tif 000002
【特許請求の範囲】
【請求項１】
帯板に光触媒の加工を施し、組立てたときハニカムコアの形状をなすように、帯板の一端から等間隔に水平部（６）、傾斜部（７）、水平部（８）、傾斜部（９）を一単位としてエアフィルター構造体の所望の横長さを構成するまで反復し、各部間に折り目をつけて水平部（６、８）のみに帯板の側縁からその幅中心線（５）まで、その中心線で区分する帯板の上側下側交互に切込みを入れて切込み舌片を構成し、第１帯板（１）の上側の切込み舌片（６’）に第２帯板（２）の下側の切込み舌片（６’）を互いに対向させ組合わせ、第２帯板（２）の上側の切込み舌片（８’）に第３帯板（３）の下側の切込み舌片（８’）を同様に組合わせ、第３帯板（３）の上側の切込み舌片（６’）に第４帯板（４）の下側の切込み舌片（６’）を組合わせ、これをエアフィルター構造体の所望の縦長さを構成するまで反復することによってセットアップ工法によるハニカムコア部分（１１）を構成し、そのコア部分に多数のハニカム貫通セル（１２）を形成してなるハニカムコアのエアフィルター構造体。
【請求項２】
最前列（第１）帯板の下側の水平部（６、８）及び偶数列（第２、第４、第６−−）帯板（２、４）の末端切込み舌片（６”）を除いて、水平部の切込み舌片の先端を切り取って切込み短舌片（６’、８’）にしてなる請求項１記載のハニカムコアのエアフィルター構造体。
【発明の詳細な説明】
【０００１】
【産業上の利用分野】
本発明はハニカムコアのエアフィルター構造体に関し、特に、接着剤を使用せず、加工が簡単で安価なセットアップ工法によるハニカムコアのエアフィルター構造体に関する。
【０００２】
【従来の技術】
従来から、空気清浄器等に使用するエアフィルターには、コルゲートコアやハニカムコアなど種々の構造体が研究開発されてきた。これらコルゲートコアやハニカムコアなどは特に上からの押圧力に強く、全体的に丈夫であるがコストが高すぎることが欠点であった。
さらに、従来の光触媒を塗布したハニカムコアの製法では、ハニカムコアに光触媒をディッピイングやスプレーにより塗布するか、金属平板に光触媒（チタン等）をコーティングし、接着剤を部分的に塗布して金属平板を重ね、それを横方向へ引っ張ってハニカム構造を製造してきた。しかし、前者では、ハニカムコアに光触媒を均一に塗布することがむずかしく、後者では、横方向へ引っ張るときに力がかかってコーティングした被覆材や接着剤が剥離するという欠点があった。
また、従来の製法で使用する有機系接着剤は高温に耐えない。使用例によっては２００°Ｃ以上になることもあるが、そのような接着剤は通常は１５０°Ｃ、耐熱タイプでも１８０°Ｃを超えると接着効果がなくなり、樹脂の焼け焦げ臭が発生したりするという欠点もあった。
【０００３】
【発明が解決しようとする課題】
そこで、上記欠点を克服することを本発明の課題とする。
具体的には、本発明のセットアップ工法によりハニカム構造にすることにより従来の有機系樹脂接着剤を使用しないですむようにすることを本発明の第１の課題とする。水平部の切込み舌片の自由片が落ち着きにくい場合のようにどうしても必要な場合は、シリコンのような無機系接着剤や、紫外線に強い弗化ビニリデン樹脂を使って補助的に接着することは勿論可能である。
また、そのようなセットアップ工法を採用することにより、予め基盤となる素材に均一に光触媒を塗布することができ、また光触媒や接着剤が剥離するという心配をする必要がなく、ハニカム構造の作業性、加工性を容易にし、多くの素材を使用できることと相まって均一で安価なハニカムコアのエアフィルター構造体を提供することを本発明の第２の課題とする。
最前列（第１）帯板の下側の水平部及び偶数列（第２、第４、第６−−）帯板の末端切込み舌片を除いて、水平部の切込み舌片の先端を切り取って切込み短舌片にすることを本発明の第３の課題とする。
帯板として素材にチタンを蒸着したものや、帯板の素材として、アルミ箔、アルミ蒸着紙、アルミ板、ステンレス薄板、チタン薄板などあらゆる金属類の薄板、活性炭素含浸シート、プラスチック、セラミックス、不織布、ガラス、紙、木材等　　　　　　を使用し、光触媒の加工はコーティングや燒結等により帯板の素材そのものに施しておく。
【０００４】
【課題を解決するための手段】
本発明は、帯板に光触媒の加工を施し、組立てたときハニカムコアの形状をなすように、帯板の一端から等間隔に水平部（６）、傾斜部（７）、水平部（８）、傾斜部（９）を一単位としてエアフィルター構造体の所望の横長さを構成するまで反復し、各部間に折り目をつけて水平部（６、８）のみに帯板の側縁からその幅中心線（５）まで、その中心線で区分する帯板の上側下側交互に切込みを入れて切込み舌片を構成し、第１帯板（１）の上側の切込み舌片（６’）に第２帯板（２）の下側の切込み舌片（６’）を互いに対向させ組合わせ、第２帯板（２）の上側の切込み舌片（８’）に第３帯板（３）の下側の切込み舌片（８’）を同様に組合わせ、第３帯板（３）の上側の切込み舌片（６’）に第４帯板（４）の下側の切込み舌片（６’）を組合わせ、これをエアフィルター構造体の所望の縦長さを構成するまで反復することによってセットアップ工法によるハニカムコア部分（１１）を構成し、そのコア部分に多数のハニカム貫通セル（１２）を形成してなるハニカムコアのエアフィルター構造体である。
【０００５】
【作用】
本発明では、上述の素材でなる帯板に酸化チタン、二酸化マンガン等の光触媒をコーティングや燒結、蒸着等により施しておく。これら光触媒は帯板の段階で加工することにより帯板表面に均一に塗布することができる。　これら帯板の一端（図３で左）から等間隔に水平部（６）、傾斜部（７）、水平部（８）、傾斜部（９）を一単位としてエアフィルター構造体の所望の横長さを構成するまで反復した長さにし、各部間に折り目をつける。水平部（６、８）のみに帯板の側縁からその幅中心線（５）まで、その中心線で区分する帯板の上側と下側で交互に切込みを入れて切込み舌片を構成する。
第１帯板（１）の上側の切込み舌片（６’）に第２帯板（２）の下側の切込み舌片（６’）を互いに対向させ組合わせ、第２帯板（２）の上側の切込み舌片（８’）に第３帯板（３）の下側の切込み舌片（８’）を同様に組合わせ、第３帯板（３）の上側の切込み舌片（６’）に第４帯板（４）の下側の切込み舌片（６’）を組合わせ、これをエアフィルター構造体の所望の縦長さを構成するまで反復することによってセットアップ工法によるハニカムコア部分（１１）を組立て構成する。そのコア部分には多数のセルサイズ１〜１０ｍｍの六角ハニカム貫通セル（１２）を形成したハニカムコアのエアフィルター構造体である。
かくして本発明は、従来のように有機系樹脂接着剤を使用しないですみ、従来のハニカム構造体製造時のように横方向へ引っ張る必要がなく、被覆材である光触媒や接着剤の剥離の心配もない。
また、有機系樹脂接着剤は使用しないので、高温により接着剤の効果が無くなることもなく、樹脂の焦げ臭の心配もない。
前述のように、本発明に使用する素材は多くの種類のものを使用でき、加工も簡単なセットアップ工法によるので結果的に安価な製品を可能とする。
帯板には酸化チタン、二酸化マンガンのような光触媒をコーティングや燒結、蒸着等により加工しているので、このエアフィルター構造体を使用する際には、紫外線灯と併用することにより、脱臭、殺菌、防虫等の効果を上げ得る。
このようなハニカム構造は、空気の流れ方向が多孔部分を通過することにより単位比表面積が平面の９０倍以上と大きく、紫外線利用率もプリーツ加工に比べて１．５倍となり光触媒効果も上げることができ、更に通気抵抗も大幅に軽減することができる。
前述したように、水平部の切込み舌片の自由片が落ち着きにくい場合のようにどうしても必要な場合は、シリコンのような無機系接着剤や、紫外線に強い弗化ビニリデン樹脂を使って補助的に接着することは勿論可能である。
図３に示すように、最前列（第１）帯板の下側の水平部６、８及び偶数列（第２、第４、第６−−）帯板２、４の末端切込み舌片６”を除いて、水平部の切込み舌片の先端を切り取って少なくとも１ｍｍを残すような　切込み短舌片６’、８’にし、水平部における帯板間の組立てをより容易にすることもできる。
このハニカム構造のエアフィルターを空気清浄器に使用すると、多数の貫通セル１２を通って空気が流動する。この時、流動する空気は多数の貫通セル１２の広い表面積と接触することになる。貫通セル１２の表面の光触媒に紫外線が当たってそこに過酸化水素と水酸基ラジカルが発生する。この活性により空気中の悪臭成分や有害成分が炭酸ガスと水に分解され、細菌やウイルスは不活性化される。かくして空気が浄化されるのである。
本発明のハニカムエアフィルター構造体は、空気清浄器をはじめその他種々の器機に使用することができる。例えば、脱臭装置、エアコン、厨房用ダクト、排気筒、農薬分解装置や電磁波シールド、オゾン除去のためコピー機にも使用することができる。その他の分野にも応用が可能であり、例えば建築材料、家電用品、家具にも応用できる。また環境保全を目的にしたところにも実用可能である。本発明のエアフィルター構造体は、ハニカム構造にしたが、その他四角形をはじめ偶数角形の多角形のコアの構造も本発明のセットアップ工法で実現できる。
【０００６】
【実施例１】
本発明のセットアップ工法で組立てたハニカムエアフィルター構造体を図面により説明する。図１は本発明のハニカムエアフィルター構造体の一部分を分かりやすく模式的に示したものである。
図３に示すように、帯板１、２、３、４はここでは厚みが１０〜１００μ、幅が５ｃｍのアルミ箔を使用するが、その他、帯板として素材にチタンを蒸着したものや、アルミ蒸着紙、アルミ板、ステンレス薄板、チタン薄板などあらゆる金属類の薄板、活性炭素含浸シート、プラスチック、セラミックス、不織布、ガラス、紙、木材等のように多くの種類の素材を使用できる上に、加工しやすく、ひいては安価な製品を実現する。帯板の厚みや幅は上記数値に制限されるものではない。この実施例において、エアフィルター構造体は例えば図１に示すように、縦横１０ｃｍ、高さが５ｃｍ程度の立方体をなすものである。このアルミ箔帯板に光触媒として酸化チタンを通常の方法でコーティングしておく。
これら帯板の一端（図３で左）から５ｍｍ間隔に水平部６、傾斜部７、水平部８、傾斜部９を一単位としてエアフィルター構造体の所望の横長さ、例えば１０ｃｍとなるまで反復し、ハニカム構造を形成するように各部間に折り目をつける。水平部６、８のみに帯板の側縁からその幅中心線５まで、その中心線で区分する帯板の上側と下側で交互に切込みを入れて切込み舌片を構成する。
第１帯板１の上側の切込み舌片６’に第２帯板２の下側の切込み舌片６’を互いに対向させ組合わせ、第２帯板２の上側の切込み舌片８’に第３帯板３の下側の切込み舌片８’を同様に組合わせ、第３帯板３の上側の切込み舌片６’に第４帯板４の下側の切込み舌片６’を組合わせ、これをエアフィルター構造体の所望の縦長さ、例えば１０ｃｍとなるまで反復することによってセットアップ工法によるハニカムコア部分１１を構成する。そのコア部分に一辺が５ｍｍの多数の六角ハニカム貫通セル１２をもつハニカムコアのエアフィルター構造体となる。
必要に応じて、互いに組合わせる切込み舌片６’、８’の接触面を無機系接着剤で、あるいは溶接で接着することもできる。
【０００７】
【実施例２】
請求項３に対応する実施例である。図３に示すように、最前列（第１）帯板１の下側の水平部６、８と、偶数列（第２、第４、第６−−）帯板２、４−−　の末端切込み舌片６”を除いて、水平部の切込み舌片の先端を約半分程度になるように切り取って切込み短舌片６’、８’にし、水平部における帯板間の組み立てをより容易にすることを狙ったものである。切込み短舌片６’、８’は勿論それより短かく、１ｍｍ程度にすることもできる。
その他の構成、作用、効果は実施例１に同じである。
【０００９】
【効果】
上述のように、本発明のセットアップ工法により、従来の光触媒塗布型ハニカムコア加工時のように有機系樹脂接着剤を使用しないですむので、加温による接着効果の喪失や接着樹脂の焦げ臭の発生の心配をする必要がないばかりでなく、従来のように帯板に光触媒をコーティングし、その後ハニカムコアの加工を行う場合、コーティングした光触媒により樹脂接着剤の強度が落ちたり、張力によりコーティングした光触媒が剥離し光触媒の効果が低下するという心配をする必要がなく、ハニカム構造体を一段と加工し易くし、素材の多様性と相まって安価なハニカムコアのエアフィルター構造体を提供できる効果がある。
また、最前列（図面で最下段の第１）帯板の下側の水平部と偶数列（第２、第４、第６−−）帯板の末端切込み舌片を除いて、水平部の切込み舌片の先端を切り取って切込み短片にすることにより、水平部における帯板間の組み立てをより容易にする効果がある。
【図面の簡単な説明】
【図１】本発明のセットアップ工法で組立てたハニカムエアフィルター構造体の部分斜視図である。
【図２】図１の前端の第１帯板から第４帯板までをセットアップ工法で組立てたハニカムエアフィルター構造体の部分拡大平面図である。
【図３】下から第１、第２、第３、第４帯板を組立て前の状態で示す正面図であって、矢印は各帯板の切り込み舌片の組立て対応位置を示す。
【符号の説明】
１　　第１帯板　　　　　　　　　　　　　２　　第２帯板
３　　第３帯板　　　　　　　　　　　　　４　　第４帯板
５　　帯板の中心線　　　　　　　　　　　６　　各帯板の水平部
６’　水平部の切込み短舌片　　　　　　　６”　水平部の切込み舌片
７　　各帯板の傾斜部　　　　　　　　　　８　　各帯板の水平部
９　　各帯板の傾斜部　　　　　　　　　　８’　水平部の切込み短舌片
１１　ハニカムコア部分　　　　　　　　１０　　舌片自由端の押さえ枠
１３　セルサイズ　　　　　　　　　　　１２　　貫通セル
【図１】
2004089650.tif 000003
【図２】
2004089650.tif 000004
【図３】
2004089650.tif 000005